(57)【要約】【課題】一般需用者がＬＥＤランプを容易に取り外すことができないように規制する留め具及びこれを備えた照明器具。【解決手段】ソケット本体の開口から突出した状態で直管形のＬＥＤランプの口金と接触する口金受け部を有し、前記口金受け部を前記ソケット本体内に取り付けられた付勢手段の付勢力により前記ＬＥＤランプを支持するソケットを備えた照明器具に取り付けられ、前記ＬＥＤランプの着脱を規制する留め具であって、前記留め具は、前記口金受け部の外周面側の一部を覆うように配置され、前記ＬＥＤランプの前記ソケット側への移動を規制する第一規制部と、前記口金受け部の外周面側の他の一部を覆うように配置され、前記ＬＥＤランプの前記ソケット側への移動を規制する第二規制部と、前記第一規制部と前記第二規制部とを開閉自在に一体に繋げる連結部と、前記第一規制部と前記第二規制部とを固定する固定手段とからなることを特徴とする留め具。【選択図】図１
2014167904.tif 000002
【特許請求の範囲】
【請求項１】
ソケット本体（１０）の開口（１１）から突出した状態で直管形のＬＥＤランプ（１）の口金（２）と接触する口金受け部（２０）を有し、
前記口金受け部（２０）を前記ソケット本体（１０）内に取り付けられた付勢手段（５０）の付勢力により前記ＬＥＤランプ（１）を支持するソケット（Ｓ１）を備えた照明器具に取り付けられ、前記ＬＥＤランプ（１）の着脱を規制する留め具であって、
前記留め具（１００）は、
前記口金受け部（２０）の外周面（２０ｒ）側の一部を覆うように配置され、前記ＬＥＤランプ（１）の前記ソケット（Ｓ１）側への移動を規制する第一規制部（１１０）と、
前記口金受け部（２０）の外周面（２０ｒ）側の他の一部を覆うように配置され、前記ＬＥＤランプ（１）の前記ソケット（Ｓ１）側への移動を規制する第二規制部（１１０’）と、
前記第一規制部（１１０）と前記第二規制部とを開閉自在に一体に繋げる連結部（１２０）と、
前記第一規制部（１１０）と前記第二規制部（１１０’）とを固定する固定手段とからなる
ことを特徴とする留め具。
【請求項２】
ソケット本体（３１０）の開口（３１１）と略面一の状態でＬＥＤランプ（３０１）の口金（３０２）と接触する口金受け部（３２０）を有し、
前記ソケット本体（３１０）内に取り付けられた付勢手段（５０）の付勢力により前記ＬＥＤランプ（３０１）を支持するソケット（Ｓ３、Ｓ４）を備えた照明器具に取り付けられ、前記ＬＥＤランプ（３０１）の着脱を規制する２つの留め具であって、
一方の留め具（１００）は、
前記口金（３０２）の外周面（３０２ｒ）側の一部を覆うように配置され、前記ＬＥＤランプ（３０１）の前記ソケット（Ｓ３）側への移動を規制する第一規制部（１１０）と、
前記口金の外周面（３０２ｒ）側の他の一部を覆うように配置され、前記ＬＥＤランプ（３０１）の前記ソケット（Ｓ４）側への移動を規制する第二規制部（１１０’）と、
前記第一規制部（１１０）と前記第二規制部（１１０’）とを開閉自在に一体に繋げる連結部（１２０）と、
前記第一規制部（１１０）と前記第二規制部（１１０’）とを固定する固定手段（１７０）とからなり、
他方の留め具（２００）は、
前記口金（３０２）に取り付けられた口金ピン（３０３）を差し込める貫通孔（２０１）が形成され、外径寸法（Ｘ４）が前記開口（３１１）の内径寸法（Ｘ３）より大きい
ことを特徴とする留め具。
【請求項３】
請求項１又は２に記載の留め具において、
前記第一規制部（１１０）及び／又は前記第二規制部（１１０’）には、
前記口金（２、３０２）と前記口金受け部（２０、３２０）との間に差し込まれ、前記ＬＥＤランプ（１、３０１）の前記ソケット側への移動を規制する差込部（１５０、１５０’）が形成されている
ことを特徴とする留め具。
【請求項４】
請求項３に記載の留め具において、
前記第一規制部（１１０）と前記第二規制部（１１０’）とは、各々半円筒形形状に形成され、前記口金（２、３０２）又は前記口金受け部（２０）の外周面（２０ｒ、３０２ｒ）を沿うように円筒形形状になるように配置される
ことを特徴とする留め具。
【請求項５】
請求項４に記載の留め具において、
前記差込部は、
前記第一規制部（１１０）の周縁側に一体に形成された平板である第一差込部（１５０）と、
前記第二規制部（１１０’）の周縁側に一体に形成された平板である第二差込部（１５０’）とである
ことを特徴とする留め具。
【請求項６】
請求項５に記載の留め具において、
前記第一規制部（１１０）には、前記円筒形形状の中心線を中心として前記連結部（１２０）と対向する端部（１１２）側から出っ張るように第一縁部（１３０）が形成され、
前記第二規制部（１１０’）には、前記中心線を中心として前記連結部（１２０）と対向する端部（１１２’）側から出っ張るように第二縁部（１３０’）が形成され、
前記第一縁部（１３０）と前記第二縁部（１３０’）には、前記第一縁部（１３０）と前記第二縁部（１３０’）を接合する位置で同一軸線となる貫通孔がそれぞれ形成され、
前記固定手段は、
前記貫通孔の内周面の全部又は一部に形成された雌ネジ部（１４１）と、
前記雌ネジ部（１４１）にねじ込まれるネジ体（１７０）である
ことを特徴とする留め具。
【請求項７】
請求項６に記載の留め具において、
前記連結部（１２０）には、一又は複数の折り曲げ溝（１２１、１２１’）が形成されている
ことを特徴とする留め具。
【請求項８】
請求項１〜７のいずれか１項に記載の留め具において、
前記第一規制部（１１０）と一体に形成され、前記ＬＥＤランプ（１）の外周面側の一部を覆うように配置される第三規制部（５１０）と、
前記第二規制部（１１０’）と一体に形成され、前記ＬＥＤランプ（１）の外周面側の他の一部を覆うように配置される第四規制部（５１０’）とからなり、
前記第三規制部（５１０）及び／又は前記第四規制部（５１０’）は、前記ソケット（Ｓ１）に固定された前記ＬＥＤランプ（１）を前記ＬＥＤランプ（１）の長手方向に交わる方向への移動を規制する
ことを特徴とする留め具。
【請求項９】
請求項１〜８のいずれか１項に記載の留め具を使用した照明器具。
【発明の詳細な説明】
【技術分野】
【０００１】
本発明は、留め具及びこれを備えた照明器具である。さらに詳しくは、一般需用者がＬＥＤランプを容易に取り外すことができないように規制する留め具及びこれを備えた照明器具に関する。
【背景技術】
【０００２】
従来、天井に直付けするタイプの照明器具や天井に埋め込むタイプの照明器具には、直管形の蛍光ランプを用いたものが主流であった。近年、発光ダイオード（以下、単に「ＬＥＤ」という。）を光源とした直管形のＬＥＤランプ（以下、単に「ＬＥＤランプ」という。）が提供されはじめている。これにともない、蛍光ランプを用いる照明器具（以下、「蛍光照明器具」という。）をＬＥＤランプを用いる照明器具（以下、「ＬＥＤ照明器具」という。）に取り替える取替工事が行われている。このような取替工事が行われるのは、ＬＥＤランプは、蛍光ランプに比べて消費電力が少なく、省エネルギーであるとともに長寿命であるため、交換の頻度を少なくできるからである。
【０００３】
つまり、照明効率の高いＬＥＤランプに取り替えることが可能ならば、照明に使用するエネルギーの節約が可能となるからである。このようなＬＥＤランプの構造や取替工事には、特に規制がなく、照明器具製造業者、照明器具設置業者又は照明器具販売業者（以下、「取引者」という。）等の間で、製品の仕様や工事方法について統一されていない状況である。このような状況の中、いわゆる突き合わせ形のソケットが取り付けられた照明器具の一部の部品を取り替える取替工事が、多く行われている。
【０００４】
このような取替工事は、既設の蛍光ランプ等を使用していた既設の照明器具から安定器を外して、ソケットに直接電流を流せるようにする工事だけで良い。また、既設の照明器具に取り付けられた突き合わせ形のソケットは、そのまま利用することができる。このような取替工事は、既設の照明器具の部品をすべて交換する必要がなく、簡易であり、かつ、工事のコストを抑えられる。しかしその反面、各取引者のＬＥＤランプや照明器具の仕様によっては、工事の方式が異なる場合が生じている。例えば、一の仕様のＬＥＤランプは、交流電流を直流電流に変換して、電圧、電流を内部のＬＥＤの仕様に合わせる回路を内蔵しているものがある。
【０００５】
このＬＥＤランプを使用するためには、ソケットに電流を直接流すような取替工事が必要である。一方、他の仕様のＬＥＤランプは、交流電流をＬＥＤにあわせて変換する器具が内蔵されておらず別に付属されているものがある。このＬＥＤランプを使用するためには、既設の照明器具の安定器を外して、付属の器具を取り付けて配線する取替工事が必要である。つまり、同じソケットであっても、流れる電流の種類が異なる場合がある。このように同じソケットが取り付けられた照明器具であっても、異なる仕様のＬＥＤランプを取り付ける必要があり、異なる取替工事を行わなければならない状況にある。
【０００６】
しかし、取替工事後のソケットの形だけを見ても、どの種類の照明器具であり、どの種類の電流が流れてくるのかは分からないため、ＬＥＤランプの取替作業は気を付けなければならない。例えば、ＬＥＤランプの取替作業は、照明器具の種類又は取替工事の方式にあわせて行わないと、ＬＥＤランプが点灯せず、最悪の場合として人体への感電、火災のリスク、電子機器誤動作、電波障害等の事故が生じてしまう。
【０００７】
専門家たる取引者は、ＬＥＤランプや照明器具の仕様や対応状況を確認した上でＬＥＤランプの取り替えの作業をすることできると考えられるが、一般需用者が必ずそれができるとは限らない。一般需用者が誤って対応しない照明器具にＬＥＤランプや従来の蛍光ランプに取り替えてしまう取替作業を防ぐ必要がある。近年、一般需用者が、容易にＬＥＤランプを外せないように様々なＬＥＤランプ留め具が開発されている。さらに、ＬＥＤランプ留め具を用いたものについて特許文献を基に、従来の技術を説明する。
【０００８】
引用文献１には、ランプの落下及び充電部露出を確実に防止すると共にランプの接続作業性を良好にし、照明器具のランプ保持構造が開示されている。引用文献１の照明器具のランプ保持構造は、ランプ移動防止具をランプ接続部にワンタッチで装着でき、適合ランプ以外の誤使用を防止することもできる。
【先行技術文献】
【特許文献】
【０００９】
【特許文献１】特開平０９−１０２２１１号公報
【発明の概要】
【発明が解決しようとする課題】
【００１０】
しかし、前述した特許文献１に記載された技術では、一般需用者が、簡単に取り外しができてしまうため、誤って仕様の異なるＬＥＤランプに取り替えができるという問題があった。このため、既存のソケットを備えた照明器具を利用しつつ、誤って仕様の異なるＬＥＤランプに取り替えられないことが望まれていた。また、照明器具用の留め具として、ＬＥＤランプを取り替える際に一般需用者が容易に取り外せない留め具が望まれていた。
【課題を解決するための手段】
【００１１】
本発明は、前記目的を達成するために次の手段をとる。
本発明１の留め具は、ソケット本体の開口から突出した状態で直管形のＬＥＤランプの口金と接触する口金受け部を有し、前記口金受け部を前記ソケット本体内に取り付けられた付勢手段の付勢力により前記ＬＥＤランプを支持するソケットを備えた照明器具に取り付けられ、前記ＬＥＤランプの着脱を規制する留め具であって、前記留め具は、前記口金受け部の外周面側の一部を覆うように配置され、前記ＬＥＤランプの前記ソケット側への移動を規制する第一規制部と、前記口金受け部の外周面側の他の一部を覆うように配置され、前記ＬＥＤランプの前記ソケット側への移動を規制する第二規制部と、前記第一規制部と前記第二規制部とを開閉自在に一体に繋げる連結部と、前記第一規制部と前記第二規制部とを固定する固定手段とからなることを特徴とする。
【００１２】
本発明２の留め具は、ソケット本体の開口と略面一の状態でＬＥＤランプの口金と接触する口金受け部を有し、前記ソケット本体内に取り付けられた付勢手段の付勢力により前記ＬＥＤランプを支持するソケットを備えた照明器具に取り付けられ、前記ＬＥＤランプの着脱を規制する２つの留め具であって、一方の留め具は、前記口金の外周面側の一部を覆うように配置され、前記ＬＥＤランプの前記ソケット側への移動を規制する第一規制部と、前記口金の外周面側の他の一部を覆うように配置され、前記ＬＥＤランプの前記ソケット側への移動を規制する第二規制部と、前記第一規制部と前記第二規制部とを開閉自在に一体に繋げる連結部と、前記第一規制部と前記第二規制部とを固定する固定手段とからなり、他方の留め具は、前記口金に取り付けられた口金ピンを差し込める貫通孔が形成され、外径寸法が前記開口の内径寸法より大きいことを特徴とする。
【００１３】
本発明３の留め具は、本発明１又は２において、前記第一規制部及び／又は前記第二規制部には、前記口金と前記口金受け部との間に差し込まれ、前記ＬＥＤランプの前記ソケット側への移動を規制する差込部が形成されていることを特徴とする。
【００１４】
本発明４の留め具は、本発明３において、前記第一規制部と前記第二規制部とは、各々半円筒形形状に形成され、前記口金又は前記口金受け部の外周面を沿うように円筒形形状になるように配置されることを特徴とする。
【００１５】
本発明５の留め具は、本発明４において、前記差込部は、前記第一規制部の周縁側に一体に形成された平板である第一差込部と、前記第二規制部の周縁側に一体に形成された平板である第二差込部とであることを特徴とする。
【００１６】
本発明６の留め具は、本発明５において、前記第一規制部には、前記円筒形形状の中心線を中心として前記連結部と対向する端部側から出っ張るように第一縁部が形成され、前記第二規制部には、前記中心線を中心として前記連結部と対向する端部側から出っ張るように第二縁部が形成され、前記第一縁部と前記第二縁部には、前記第一縁部と前記第二縁部を接合する位置で同一軸線となる貫通孔がそれぞれ形成され、前記固定手段は、前記貫通孔の内周面の全部又は一部に形成された雌ネジ部と、前記雌ネジ部にねじ込まれるネジ体であることを特徴とする。
【００１７】
本発明７の留め具は、本発明６において、前記連結部には、一又は複数の折り曲げ溝が形成されていることを特徴とする。
【００１８】
本発明８の留め具は、本発明１〜７のいずれかにおいて、前記第一規制部と一体に形成され、前記ＬＥＤランプの外周面側の一部を覆うように配置される第三規制部と、前記第二規制部と一体に形成され、前記ＬＥＤランプの外周面側の他の一部を覆うように配置される第四規制部とからなり、前記第三規制部及び／又は前記第四規制部は、前記ソケットに固定された前記ＬＥＤランプを前記ＬＥＤランプの長手方向に交わる方向への移動を規制することを特徴とする。
【００１９】
本発明９の照明器具は、本発明１〜８のいずれかの留め具を使用した照明器具である。
【発明の効果】
【００２０】
以上説明したように、本発明の留め具は、既設の照明器具を利用しつつ、一般需用者が誤って対応していないランプに取り替えることができない。また、本発明の留め具は、一般需用者が工具を用いることなくＬＥＤランプを容易に取り外すことができないように規制することができる。
【図面の簡単な説明】
【００２１】
【図１】図１は、実施の形態１の留め具１００を示す図であって、可動ソケットＳ１に取り付けた状態を示す外観図である。
【図２】図２は、図１のＺ１を拡大し、可動ソケットＳ１に取り付けられた留め具１００の断面の状態を示す拡大図である。
【図３】図３は、可動ソケットＳ１を示す図であって、図３（ａ）は、可動ソケットＳ１の正面を示す正面図であって、図３（ｂ）は、図３（ａ）を矢印Ａより矢視した状態を示す図である。
【００２２】
【図４】図４は、留め具１００を示す部品図であって、図４（ａ）は、非対向状態の留め具１００を示す正面図であって、図４（ｂ）は、図４（ａ）をＢ−Ｂ線で切断した断面図であって、図４（ｃ）は、図４（ａ）を矢印Ｃより矢視した状態を示す図である。
【図５】図５は、留め具１００を示す部品図であって、図５（ａ）は、対向状態にされた留め具１００を示す正面図であって、図５（ｂ）は、図５（ａ）をＤ−Ｄ線で切断した断面図であって、図５（ｃ）は、図５（ａ）を矢印Ｅより矢視した状態を示す図である。
【図６】図６は、留め具１００をＬＥＤランプ１に取り付ける手順を示す説明図である。
【００２３】
【図７】図７は、実施の形態２の留め具１００と第二留め具２００を示す図であって、留め具１００を可動ソケットＳ３に、第二留め具２００を可動ソケットＳ４に取り付けた状態を示す外観図である。
【図８】図８は、図７のＺ２とＺ３を拡大し、留め具１００と第二留め具２００の断面の状態を示す拡大図である。
【図９】図９は、可動ソケットＳ３を示す図であって、図９（ａ）は、可動ソケットＳ１の正面を示す正面図であって、図９（ｂ）は、図９（ａ）を矢印Ｆより矢視した状態を示す図である。
【図１０】図１０は、第二留め具２００を示す図であり、図１０（ａ）は、第二留め具２００を示す正面図であり、図１０（ｂ）は、図１０（ａ）を矢印Ｇより矢視した状態を示す図である。
【００２４】
【図１１】図１１は、留め具１００及び第二留め具２００をＬＥＤランプ１に取り付ける手順を示す説明図である。
【図１２】図１２は、実施の形態３の留め具４００を示す部分拡大図である。
【図１３】図１３は、実施の形態３の留め具を示す図であって、非対向状態の留め具４００を示す正面図である。
【図１４】図１４は、実施の形態３の留め具を示す図であって、対向状態の留め具４００を示す正面図である。
【００２５】
【図１５】図１５は、実施の形態４の留め具５００を示す部分拡大図である。
【図１６】図１６は、留め具５００を示す部品図であって、図１６（ａ）は、非対向状態の留め具５００を示す正面図であって、図１６（ｂ）は、図１６（ａ）をＨ−Ｈ線で切断した断面図であって、図１６（ｃ）は、図１６（ａ）を矢印Ｊより矢視した状態を示す図である。
【図１７】図１７は、留め具５００を示す部品図であって、図１７（ａ）は、対向状態にされた留め具５００を示す正面図であって、図１７（ｂ）は、図１７（ａ）をＫ−Ｋ線で切断した断面図であって、図１７（ｃ）は、図１７（ａ）を矢印Ｍより矢視した状態を示す図である。
【図１８】図１８は、留め具５００をＬＥＤランプ１に取り付ける手順を示す説明図である。
【発明を実施するための形態】
【００２６】
〔実施の形態１〕
以下、本発明の実施の形態１を図面に基づいて説明する。実施の形態１の留め具１００は、可動ソケットＳ１と固定ソケットＳ２を備える照明器具Ｌの可動ソケットＳ１側に取り付けるものである。図１は、実施の形態１の留め具１００を示す図であって、可動ソケットＳ１に取り付けた状態を示す外観図である。図２は、図１のＺ１を拡大し、可動ソケットＳ１に取り付けられた留め具１００の断面の状態を示す拡大図である。図１に示すように、天井側方向を示す矢印Ｕ方向を「上方向」とし、その逆方向である床側方向を示す矢印Ｄ方向を「下方向」として説明する。また、ＬＥＤランプ１が固定された状態でＬＥＤランプ１側から可動ソケットＳ１側を向く方向を示す矢印α方向を「ソケット側方向」とし、その逆方向を示す矢印β方向を「ランプ側方向」として説明する。
【００２７】
図３（ａ）に示すように、左右対称のソケット本体１０の対称軸であり、開口１１の中心を通る上方向から下方向に延びる線を中心線ＣＬ１として説明する。図４（ａ）に示すように、左右対称の留め具１００の対称軸であり、連結部１２０を通る上方向から下方向に延びる線を中心線ＣＬ２として説明する。図４（ａ）に示すように、第一縁部１３０又は第二縁部１３０’から中心線ＣＬ２側に向かう矢印ＩＳ方向を「内側方向」とし、その逆方向を示す矢印ＯＳ方向を「外側方向」として説明する。
【００２８】
〔照明器具Ｌ〕
まず、実施の形態１の留め具１００が取り付けられた照明器具Ｌについて説明する。図１に示すように、照明器具Ｌは、天井Ｒに取り付けられている天井直付け形照明器具である。照明器具Ｌは、細長い略箱形形状に形成されたものであり、天板が天井Ｒに取り付けられた吊下ボルト等に固定されて配置されている。
【００２９】
照明器具Ｌは、ＬＥＤランプ１が取り付けられるように、日本工業規格であるＪＩＳ  Ｃ  ７６１７−１で規定されたＲ１７ｄの口金（以下、単に「Ｒ１７ｄ口金」という。）の仕様に対応する可動ソケットＳ１と固定ソケットＳ２とが長手方向両端に１つずつ取り付けられている。照明器具Ｌは、既設の蛍光ランプ等を使用していた既設の照明器具から安定器を外して、可動ソケットＳ１及び固定ソケットＳ２に直接電流を流せる工事を行った照明器具である。
【００３０】
〔ＬＥＤランプ１〕
図２に示すように、ＬＥＤランプ１は、口金２、嵌合雄部３及びカバー４とから構成され、カバー４の内部にＬＥＤが配置された基板（図示せず）を用いた直管形の蛍光灯状の照明灯である。ＬＥＤランプ１は、長手方向の両端の口金２に取り付けられた嵌合雄部３が、Ｒ１７ｄ口金に対応するように形成されている。
【００３１】
ＬＥＤランプ１は、交流電流を直流電流に変換して、電圧、電流をＬＥＤの仕様に合わせる回路を内蔵している。カバー４は、基板を覆うように円筒形形状に形成されている。カバー４は、従来、照明器具の光源として使用されてきた蛍光灯等のガラス管に相当するものであり、照明光を拡散させて均一な照明光とするものである。カバー４は、全部又は一部が光を透過する部材から構成されており、合成樹脂材料であるポリカーボネートにより構成されている。
【００３２】
カバー４は、大量に安く生産することができる押出成形等で成形ができる材料であれば、ポリカーボネートに限らず他の合成樹脂材料（例えば、ＡＢＳ樹脂、アクリル樹脂）でも良い。カバー４の内部には、平面状で細長い基板が取り付けられている（図示せず）。基板には、複数のＬＥＤが、等間隔に配置され固定されている。基板は、電源線に接続されており（図示せず）、電力が基板を介してＬＥＤに供給されることでＬＥＤが発光する。
【００３３】
〔可動ソケットＳ１〕
次に可動ソケットＳ１について説明をする。図３は、可動ソケットＳ１を示す図であって、図３（ａ）は、可動ソケットＳ１の正面を示す正面図であって、図３（ｂ）は、図３（ａ）を矢印Ａより矢視した状態を示す図である。可動ソケットＳ１は、ＬＥＤランプ１を電気回路に接続するための端子４０を内部に有する部品であり、照明器具Ｌに取り付けられる。ソケット本体１０は、図３（ａ）に示すように、左右対称の略Ｕ字形状であり、その前面１０ｆに円形形状の開口１１が形成され、上部が矩形に下部が半円形形状に形成された筐体である。
【００３４】
ソケット本体１０は、周知なものであるが、本実施の形態の理解を容易にするために簡単に説明する。ソケット本体１０は、電気的絶縁性に優れた材料で形成されていれば良く、例えば、ポリブチレンテレフタレート（ＰＢＴ）、ポリカーボネイト（ＰＣ）、ポリプロピレン（ＰＰ）又はユリア樹脂等の合成樹脂から形成されている。ソケット本体１０には、図示していないが電源線引出穴が形成され、天井Ｒから引き出された電源線が内部に取り付けられた端子４０に接続されている。
【００３５】
ソケット本体１０には、図３(ａ）又は図３（ｂ）に示すように、外径寸法が開口１１の内径寸法と同一又はやや小さい円筒形形状の口金受け部２０が取り付けられている。口金受け部２０は、ソケット本体１０に出没自在に取り付けられており、所定の力を加えることでソケット本体１０内（矢印α方向）に押し込むことができる（例えば、図６（ａ）参照）。口金受け部２０は、ソケット本体１０内に取り付けられた付勢手段であるばね５０により付勢され、前面１０ｆより所定の長さ寸法Ｘ１だけ突出するように配置されている。
【００３６】
図３（ａ）に示すように、口金受け部２０は、その前面２０ｆにＬＥＤランプ１の嵌合雄部３が嵌め込まれる略長円形状の孔である嵌合雌部３０が形成されている。嵌合雌部３０の略中央には、電源線に接続され、嵌合雄部３の端子（図示せず）と接触することで、ＬＥＤランプ１に電流を流すための給電用の端子４０が２つ取り付けられている。端子４０は、Ｒ１７ｄ口金の仕様にあわせて嵌合雌部３０内で左右対称に２つ取り付けられている。図１に示すように、固定ソケットＳ２は、前述した可動ソケットＳ１と比べて口金受け部２０’が固定されており、ソケット本体１０’に出没自在でない点のみが異なり他の構造は同じであるため、詳細な説明は省略する。
【００３７】
〔留め具１００〕
次に留め具１００について説明する。 図４に示すように、連結部１２０が折り曲げられておらず、留め具１００の第一本体１０１と第二本体１０２とが対向していない状態を「非対向状態」として説明する。図５に示すように、連結部１２０が折り曲げられており、留め具１００の第一本体１０１と第二本体１０２とが対向している状態を「対向状態」として説明する。図４は、留め具１００を示す部品図であって、図４（ａ）は、非対向状態の留め具１００を示す正面図であって、図４（ｂ）は、図４（ａ）をＢ−Ｂ線で切断した断面図であって、図４（ｃ）は、図４（ａ）を矢印Ｃより矢視した状態を示す図である。
【００３８】
図５は、留め具１００を示す部品図であって、図５（ａ）は、対向状態にされた留め具１００を示す正面図であって、図５（ｂ）は、図５（ａ）をＤ−Ｄ線で切断した断面図であって、図５（ｃ）は、図５（ａ）を矢印Ｅより矢視した状態を示す図である。図４（ａ）、図４（ｃ）、図５（ａ）及び図５（ｃ）に示すように、留め具１００の説明において、第一本体１０１と第二本体１０２の開閉の中心となる軸線を第一軸線Ｌ１として説明をする。また、図４（ａ）又は図５（ａ）に示すように、貫通孔１３１の中心を通る軸線を第二軸線Ｌ２として説明をする。さらに、図４（ａ）又は図５（ａ）に示すように、インサートナット１４０の中心を通る軸線を第三軸線Ｌ３として説明をする。
【００３９】
留め具１００は、ソケットに支持されているＬＥＤランプ１を一般需用者が容易に取り外すことができないように規制する部品である（図１及び２参照）。留め具１００は、第一本体１０１と第二本体１０２とが連結部１２０に繋がれて構成され、図４（ａ）に示すように略Ｗ形状に形成されている。第一本体１０１は、第一規制部１１０、第一縁部１３０及び第一差込部１５０から構成されている。
【００４０】
第二本体１０２は、第二規制部１１０’、第二縁部１３０’、第二差込部１５０’及びインサートナット１４０から構成されている。留め具１００は、電気的絶縁性に優れた材料で形成されていれば良く、例えば、ポリプロピレン（ＰＰ）等の硬質な合成樹脂から形成されている。留め具１００は、インサート成形により、金型内に挿入したインサートナット１４０の周りに樹脂を注入して製造され、第一本体１０１、第二本体１０２及び連結部１２０とが一体に成形されている。
【００４１】
第一規制部１１０は、口金受け部２０の外周面２０ｒの一部を覆う部位である（図２参照）。図４（ａ）及び図４（ｂ）に示すように、第一規制部１１０は、所定の肉厚を有し、口金受け部２０が突出している長さ寸法Ｘ１と同一又は略同一の長さ寸法Ｘ２を有する半円筒形形状に形成されている。第一規制部１１０は、一方の端部１１１に連結部１２０が形成され、他方の端部１１２に第一縁部１３０が形成されている。第二規制部１１０’は、第一規制部１１０と同様に構成されているため説明を省略する。
【００４２】
第一規制部１１０と第二規制部１１０’とは、対向状態にされると、図５（ｂ）に示すように、円筒形形状になる。この円筒形形状は、図２に示すように、その内径寸法が開口１１の内径寸法又は口金受け部２０の外径寸法と同一又はそれより大きく、長さ寸法Ｘ２が長さ寸法Ｘ１と同一又は略同一である。図４（ａ）及び図５（ａ）に示すように、第一規制部１１０の内側の端部１１１と第二規制部１１０’の内側の端部１１１’とは、連結部１２０で繋がれている。
【００４３】
図４（ａ）に示すように、連結部１２０には、留め具１００を容易に折り曲げるための切り込み溝である第一折り曲げ溝１２１と第二折り曲げ溝１２１’が形成されている。図４（ｃ）に示すように、第一折り曲げ溝１２１と第二折り曲げ溝１２１’とは、連結部１２０の一方から他方にかけて所定の間隔を有するように平行に配置されている。第一規制部１１０の外側の端部１１２には、外側方向（矢印ＯＳ方向）に出っ張るように第一縁部１３０が形成されている。第一縁部１３０は、上方向から下方向にかけて所定の肉厚を有しており、その略中央を貫通するように形成された貫通孔１３１が備えられている。
【００４４】
貫通孔１３１の一端には、ネジ頭部１７１を埋め込むための座ぐり穴１３２が形成されている。第二規制部１１０’の外側の端部１１２’には、外側方向（矢印ＯＳ方向）に出っ張るように第二縁部１３０’が形成されている。第二縁部１３０’は、上方向から下方向にかけて所定の肉厚を有しており、その略中央にインサートナット１４０が取り付けられている。図４（ａ）に示すように、インサートナット１４０には、ネジ体１７０がねじ込まれる雌ネジ部１４１が形成されている。
【００４５】
インサートナット１４０は、図５（ａ）に示すように、留め具１００が対向状態にされると、第三軸線Ｌ３が、第二軸線Ｌ２と同一の軸線上に配置されるように第二縁部１３０’に取り付けられている。図４（ａ）に示すように、第一規制部１１０の一方の側の周縁側には、口金受け部２０の前面２０ｆを覆うための第一差込部１５０が、第一規制部１１０と一体に形成されている。第一差込部１５０は、口金受け部２０と口金２の隙間に差し込めるように薄く形成された半円形状の平板である。第二差込部１５０’は、第一差込部１５０と同様に構成されているため説明を省略する。
【００４６】
図４（ａ）及び図４（ｂ）に示すように、第一差込部１５０には、嵌合雄部３の一部を覆うように略長方形形状に切りかかれた第一被覆部１６０が形成されている。第二被覆部１６０’は、第一被覆部１６０と同様に構成されているため説明を省略する。図５（ａ）に示すように、留め具１００が対向状態にされると、第一被覆部１６０と第二被覆部１６０’とが略矩形形状に貫通された矩形穴１６０ｈを形成する。図５（ａ）に示すように、第一差込部１５０と第二差込部１５０’とは、留め具１００が対向状態にされると、中心に矩形穴１６０ｈを備えた略円形形状になる。
【００４７】
対向状態で固定された留め具１００は、図５（ａ）及び（ｂ）に示すように、一方側が開口し、他方側が矩形穴１６０ｈ部分の除き覆われている略蓋状の円筒形形状になる。矩形穴１６０ｈは、Ｒ１７ｄに対応する嵌合雄部３の一部を覆うことができるように、嵌合雄部３の外形寸法にあわせて形成されている。ネジ体１７０は、第一本体１０１と第二本体１０２を固定する部材であり、ネジ頭部１７１と雄ネジ部１７２とから構成される電気的絶縁性に優れたプラスチックネジである。
【００４８】
〔取付方法１〕
次に、取付方法１を図６に基づいて説明する。図６は、留め具１００をＬＥＤランプ１に取り付ける手順を示す説明図である。まず、ＬＥＤランプ１の一方の口金２を可動ソケットＳ１の口金受け部２０に接触させ、嵌合雄部３を嵌合雌部３０に嵌め込む。この状態でＬＥＤランプ１をソケット本体１０側に所定以上の力で押し込むと、図６（ａ）に示すように、口金受け部２０がソケット本体１０内に押し込まれる。
【００４９】
ＬＥＤランプ１の他方の口金２を固定ソケットＳ２の口金受け部２０に接触させ、嵌合雄部３を嵌合雌部３０に嵌め込む。ＬＥＤランプ１は、ソケット本体１０に取り付けられたばね５０によりランプ側方向（β方向）に付勢力を受けて、図６（ｂ）に示すように、可動ソケットＳ１と固定ソケットＳ２の間で支持される。次に、留め具１００を可動ソケットＳ１に取り付ける。
【００５０】
留め具１００は、図６（ｂ）に示すように、第一規制部１１０、第二規制部１１０’が可動ソケットＳ１側に向くように配置し、第一差込部１５０及び第二差込部１５０’がＬＥＤランプ１側に向くように配置する。この状態で、連結部１２０を第一軸線Ｌ１を中心軸として折り曲げて、第一差込部１５０と第二差込部１５０’を口金２と口金受け部２０の間に挟み込む。所定以上の力を加えて挟み込むと、ばね５０の付勢力に抗って口金受け部２０がソケット側方向（α方向）に移動する。そして、第一差込部１５０と第二差込部１５０’が、口金２と口金受け部２０の間に差し込まれる。
【００５１】
図６（ｃ）に示すように、留め具１００は、可動ソケットＳ１とＬＥＤランプ１との間に取り付けられる。第一縁部１３０と第二縁部１３０’とを当接させて、留め具１００を対向状態（図５（ａ）参照）にする。図２に示すように、対向状態にされた留め具１００は、第一規制部１１０と第二規制部１１０’とが口金受け部２０の外周面２０ｒを沿うように覆う。また、第一差込部１５０と第二差込部１５０’が口金受け部２０の前面２０ｆを覆う。
【００５２】
留め具１００を対向状態にすると、矩形穴１６０ｈ（図５（ａ）参照）が形成され嵌合雄部３を覆う（図２参照）。また、図６（ｃ）に示すように、貫通孔１３１の中心を通る第二軸線Ｌ２とインサートナット１４０の中心を通る第三軸線Ｌ３とは、同一軸線上に位置する。留め具１００は、連結部１２０に第一折り曲げ溝１２１と第二折り曲げ溝１２１’が形成されているため折り曲げが容易であり、折り曲げたときに収まりが良くなる。
【００５３】
図６（ｃ）に示すように、ネジ体１７０を座ぐり穴１３２側から第二縁部１３０’に取り付けられたインサートナット１４０にねじ込む。図１に示すように、雄ネジ部１７２がインサートナット１４０の雌ネジ部１４１にねじ込まれることで、留め具１００は、対向状態で固定される。図２に示すように、第一差込部１５０と第二差込部１５０’は、口金２と口金受け部２０の間に差し込まれ、口金受け部２０を覆う。対向状態で固定された留め具１００は、一方側が開口し、他方側が一部覆われた円筒形形状に形成される。
【００５４】
図２に示すように、円筒形形状にされた留め具１００が、口金受け部２０を覆っているため、ＬＥＤランプ１を可動ソケットＳ１側に押し込むことができない。つまり、口金受け部２０の長さ寸法Ｘ１と略同一の長さ寸法Ｘ２（図２参照）を有する第一規制部１１０と第二規制部１１０’が口金受け部２０の外周面２０ｒを覆うように配置され、第一差込部１５０と第二差込部１５０’が口金受け部２０の前面２０ｆを覆っている。このため、ＬＥＤランプ１を可動ソケットＳ１側に押し込もうとしても、第一差込部１５０と第二差込部１５０’を介して第一規制部１１０と第二規制部１１０’がそれを規制する。留め具１００が、ＬＥＤランプ１を可動ソケットＳ１側に押し込みを規制しているため、照明器具ＬからＬＥＤランプ１を容易に取り外せない。
【００５５】
なお、矩形穴１６０ｈが、嵌合雄部３の外形寸法にあわせられて覆っているため、ＬＥＤランプ１を確実に固定し、がたつきが軽減される。このように、一般需用者が誤って対応しないＬＥＤランプや従来の蛍光ランプに取り替えることができない。また、留め具１００は、ＬＥＤランプ１を締め付けることなく、固定することができるので、ＬＥＤランプ１を破損させるおそれがない。
【００５６】
留め具１００やネジ体１７０は、電気的絶縁性に優れた部材で形成されているため作業中に感電等をすることなく安全に作業が行える。なお、実施の形態１においては、可動ソケットＳ１と固定ソケットＳ２を一つずつ使用する照明器具Ｌに、可動ソケットＳ１にのみ留め具１００を取り付けることについて説明をした。しかし、２つのソケットが可動ソケットＳ１である場合に、２つの可動ソケットＳ１に対してそれぞれ留め具１００を取り付けても良いことはいうまでもない。
【００５７】
〔実施の形態２〕
次に、本発明の実施の形態２を、図面に基づいて詳細に説明する。実施の形態２の留め具１００と第二留め具２００は、２つの可動ソケットＳ３、Ｓ４を備える照明器具Ｌ’に取り付けるものである。実施の形態２は、実施の形態１を利用する形態なので同一の部分の詳細な説明は省略する。図７は、実施の形態２の留め具１００と第二留め具２００を示す図であって、留め具１００を可動ソケットＳ３に、第二留め具２００を可動ソケットＳ４に取り付けた状態を示す外観図である。図８は、図７のＺ２とＺ３を拡大し、留め具１００と第二留め具２００の断面の状態を示す拡大図である。図９は、可動ソケットＳ３を示す図であって、図９（ａ）は、可動ソケットＳ１の正面を示す正面図であって、図９（ｂ）は、図９（ａ）を矢印Ｆより矢視した状態を示す図である。
【００５８】
〔照明器具Ｌ’〕
図７に示すように、照明器具Ｌ’は、天井Ｒに取り付けられている天井直付け形照明器具である。照明器具Ｌ’は、ＬＥＤランプ３０１が取り付けられるように、日本工業規格であるＪＩＳ  Ｃ ７７０９−１で規定されたＧ１３の口金（以下、単に「Ｇ１３口金」という。）の仕様に対応する可動ソケットＳ３、Ｓ４が長手方向両端に１つずつ取り付けられている。
【００５９】
〔ＬＥＤランプ３０１〕
図７に示すように、ＬＥＤランプ３０１は、口金３０２、及びカバー３０４とから構成されている直管形の蛍光灯状の照明灯である。ＬＥＤランプ３０１は、長手方向の両端の口金３０２に取り付けられた口金ピン３０３がＧ１３口金に対応するように形成されている。
【００６０】
〔可動ソケットＳ３、Ｓ４〕
次に可動ソケットＳ３について説明をする。可動ソケットＳ３は、実施の形態１の可動ソケットＳ１と比較して、口金受け部３２０が前面３１０ｆより突出してない点と、対応する口金の規格の点のみが異なるのでその点だけ説明をする。ソケット本体３１０には、図９(ａ）又は図９（ｂ）に示すように、外径寸法が開口３１１の内径寸法Ｘ３と同一又はやや小さい円板形状の口金受け部３２０が取り付けられている。
【００６１】
口金受け部３２０は、ソケット本体３１０に移動自在に取り付けられており、所定の力を加えることでソケット本体３１０内（矢印α方向）に押し込むことができる。口金受け部３２０は、ソケット本体３１０内に取り付けられた付勢手段であるばね３５０により付勢され、前面３１０ｆと面一又は略面一になるように配置されている。
【００６２】
図９（ａ）に示すように、口金受け部３２０の前面３２０ｆには、ＬＥＤランプ３０１の口金ピン３０３が差し込める円形形状に形成された一組の貫通孔３３０が備えられている。ソケット本体３１０の内部には、電源線に接続され、口金ピン３０３と接触することで、ＬＥＤランプ３０１に電流を流すための給電用の端子（図示せず）が取り付けられている。可動ソケットＳ４は、可動ソケットＳ３と同様に構成されているため説明を省略する。
【００６３】
〔留め具１００〕
実施の形態２では、実施の形態１で説明した留め具１００を使用するが、異なる可動ソケットＳ４に対して使用するため、その対応関係について簡単に説明する。第一規制部１１０と第二規制部１１０’とは、留め具１００が対向状態(図５（ａ）参照)にされたとき、図８に示すように、その内径寸法が開口３１１の内径寸法又は口金受け部３２０の外径寸法と同一又はそれより大きい円筒形形状になるように形成されている。同様に、対向状態の留め具１００の内径寸法は、口金３０２の外径寸法と同一又はそれより大きく形成されている。
【００６４】
〔第二留め具２００〕
次に第二留め具２００について説明する。なお、図１０は、第二留め具２００を示す図であり、図１０（ａ）は、第二留め具２００を示す正面図であり、図１０（ｂ）は、図１０（ａ）を矢印Ｇより矢視した状態を示す図である。図８に示すように、第二留め具２００は、可動ソケットＳ４に固定されているＬＥＤランプ３０１を一般需用者が容易に取り外すことができないように規制する部品の一つである。第二留め具２００は、図１０（ａ）に示すように、上部と下部が切り欠かれた略円形形状に形成されている。第二留め具２００の外径寸法Ｘ４は、図８に示すように、開口３１１の内径寸法Ｘ３又は口金受け部３２０の外径寸法より大きくなるように形成されている。
【００６５】
第二留め具２００は、電気的絶縁性に優れた材料で形成されていれば良く、例えば、ポリプロピレン（ＰＰ）等の硬質な合成樹脂から形成されている。図１０(ａ）に示すように、第二留め具２００には、円形形状に貫通した孔である貫通孔２０１が２つ形成されている。貫通孔２０１は、Ｇ１３口金である口金３０２に取り付けられた一組の口金ピン３０３に対応して形成されている。つまり、２つの貫通孔２０１は、口金ピン３０３を差し込めるように、その中心間の距離が１３．００ｍｍであり、貫通孔２０１の径の寸法が３．３０ｍｍである。
【００６６】
〔取付方法２〕
次に、本発明の取付方法２を図１１に基づいて説明する。図１１は、留め具１００及び第二留め具２００をＬＥＤランプ１に取り付ける手順を示す説明図である。まず図１１（ａ）に示すように、一の口金ピン３０３を第二留め具２００の貫通孔２０１に差し込み、第二留め具２００をＬＥＤランプ３０１に取り付ける。次に、図１１（ｂ）に示すように、第二留め具２００が取り付けられていない他の口金ピン３０３を可動ソケットＳ４の貫通孔３３０に差し込む。この状態でＬＥＤランプ３０１を可動ソケットＳ４側に所定以上の力で押し込むと、口金受け部３２０がソケット本体３１０内に押し込まれる。
【００６７】
次に、第二留め具２００が取り付けられた一の口金ピン３０３を可動ソケットＳ３の貫通孔３３０に差し込むと、図１１（ｃ）に示すように、第二留め具２００が開口３１１を塞ぎ、前面３１０ｆの一部を覆う。次に、留め具１００を可動ソケットＳ３側に取り付ける。留め具１００は、図１１（ｃ）に示すように、第一規制部１１０、第二規制部１１０’がＬＥＤランプ３０１側に向くように配置し、第一差込部１５０及び第二差込部１５０’が可動ソケットＳ３側に向くように配置する。
【００６８】
留め具１００を可動ソケットＳ３に取り付ける方法は、取付方法１とほぼ同様なので詳細な説明は省略し異なる点だけ説明する。図８に示すように、口金３０２と可動ソケットＳ３の間に留め具１００を取り付けると、第一規制部１１０と第二規制部１１０’が、口金３０２の外周面３０２ｒを沿うように覆う。第一差込部１５０と第二差込部１５０’は、口金３０２と口金受け部３２０の間に差し込まれ、図８に示すように、開口３１１を塞いでいるため、ＬＥＤランプ３０１を可動ソケットＳ４側に押し込む動作が規制される。
【００６９】
対向状態（図５（ａ）参照）の留め具１００に形成された矩形穴１６０ｈは、図８に示すように、口金ピン３０３を覆うように配置される。可動ソケットＳ４側には、第二留め具２００が差し込まれ、開口３１１を塞ぎ、可動ソケットＳ３側には、留め具１００が取り付けられ開口３１１を塞いでいる。このため、ＬＥＤランプ３０１は、可動ソケットＳ３側にも可動ソケットＳ４側にも押し込むことができない。なお、照明器具Ｌ’に取り付けられたソケットが共に可動ソケットＳ３、Ｓ４である場合、留め具１００を２つ取り付けて、ＬＥＤランプ３０１の押し込み動作を規制することもできる。しかし、一方の可動ソケットＳ４に対しては第二留め具２００を使用することでネジ止め等の作業等に手間がかからない。
【００７０】
〔実施の形態３〕
次に、本発明の実施の形態３を、図面に基づいて詳細に説明する。実施の形態３の留め具４００は、実施の形態１と同様に可動ソケットＳ１と固定ソケットＳ２を備える照明器具Ｌの可動ソケット側に取り付けるものである。図１２は、実施の形態３の留め具４００を示す部分拡大図である。図１３は、実施の形態３の非対向状態の留め具４００を示す正面図である。図１４は、実施の形態３の対向状態の留め具４００を示す正面図である。
【００７１】
図１２に示すように、留め具４００は、ソケットに支持されているＬＥＤランプ１を一般需用者が容易に取り外すことができないように規制する部品である。実施の形態３の留め具４００は、実施の形態１の留め具１００に比べ構成する部品点数を少なくした形態なので同一の部分の詳細な説明は省略する。図１３に示すように、留め具４００は、留め具１００とほぼ同様の構成であるが、第一差込部１５０、第二差込部１５０’、第一被覆部１６０及び第二被覆部１６０’がない点が異なる。
【００７２】
図１２に示すように、第一規制部４１０と第二規制部４１０’とは、口金受け部２０の外周面２０ｒの一部を覆う部位である（図１２参照）。図１３に示すように、第一規制部４１０と第二規制部４１０’とは、各々所定の肉厚を有する半円筒形形状に形成されている。第一規制部４１０と第二規制部４１０’とは、対向状態にされると、図１４に示すように、円筒形形状になる。この円筒形形状は、図１２に示すように、その内径寸法Ｘ６が口金受け部２０の外径寸法Ｘ５と略同一であり、長さ寸法Ｘ２が長さ寸法Ｘ１と同一又は略同一である。また、内径寸法Ｘ６は、口金２の外径寸法Ｘ７又はカバー４の外径寸法Ｘ８より小さい。
【００７３】
留め具４００は、留め具１００と同様に可動ソケットＳ１に取り付けることができる。図１２に示すように、円筒形形状にされた留め具４００が、口金受け部２０を覆っているため、ＬＥＤランプ１を可動ソケットＳ１側に押し込むことができない。つまり、口金受け部２０の長さ寸法Ｘ１と略同一の長さ寸法Ｘ２を有する第一規制部４１０と第二規制部４１０’が口金受け部２０の外周面２０ｒを覆っている。このため、ＬＥＤランプ１を可動ソケットＳ１側に押し込もうとしても、第一規制部４１０と第二規制部４１０’がそれを規制する。
【００７４】
留め具４００が、ＬＥＤランプ１を可動ソケットＳ１側への押し込みを規制しているため、照明器具ＬからＬＥＤランプ１を容易に取り外せない。留め具４００は、留め具１００と異なり、第一差込部１５０と第二差込部１５０’を介することなく直接規制している。留め具４００は、留め具１００と比較して、部品点数が減少されており、製造コストを低減させることができる。
【００７５】
〔実施の形態４〕
次に、本発明の実施の形態４を、図面に基づいて詳細に説明する。実施の形態４の留め具５００は、実施の形態１と同様に可動ソケットＳ１と固定ソケットＳ２を備える照明器具Ｌの可動ソケット側に取り付けるものである。実施の形態１の留め具１００は、ＬＥＤランプ１を可動ソケットＳ１側に押し込むことを規制している。しかし、ＬＥＤランプ１を上方向から下方向に無理に引っ張っると可動ソケットＳ１から外れてしまう場合がある。留め具５００は、ソケットに支持されているＬＥＤランプ１を引っ張っても取り外すことができないように規制する部品である。
【００７６】
留め具５００は、留め具１００とほぼ同様の構成であるが、第三規制部５３０、第四規制部５４０’が設けられた点が異なるのでこの部分を主に説明をする。図１５は、実施の形態４の留め具５００を示す部分拡大図である。図１６は、留め具５００を示す部品図であって、図１６（ａ）は、非対向状態の留め具５００を示す正面図であって、図１６（ｂ）は、図１６（ａ）をＨ−Ｈ線で切断した断面図であって、図１６（ｃ）は、図１６（ａ）を矢印Ｊより矢視した状態を示す図である。
【００７７】
図１７は、留め具５００を示す部品図であって、図１７（ａ）は、対向状態にされた留め具５００を示す正面図であって、図１７（ｂ）は、図１７（ａ）をＫ−Ｋ線で切断した断面図であって、図１７（ｃ）は、図１７（ａ）を矢印Ｍより矢視した状態を示す図である。図１８は、留め具５００をＬＥＤランプ１に取り付ける手順を示す説明図である。なお、図１８に示すように、ＬＥＤランプ１の中心を通る長手方向を第四軸線Ｌ４とし、可動ソケットＳ１と固定ソケットＳ２の口金受け部２０の中心を通る軸線を第五軸線Ｌ５として説明する。
【００７８】
図１６（ａ）に示すように、第一本体５０１は、第一規制部１１０、第一縁部１３０、第一差込部１５０及び第三規制部５１０から構成されている。第三規制部５１０は、図１５に示すように、口金２及び／又はカバー４の外周面を覆う部位である。図１６（ａ）及び図１６（ｂ）に示すように、第三規制部５１０は、所定の肉厚を有する半円筒形形状に形成されている。本例においては、第三規制部５１０は、図１５に示すように、第一規制部１１０と同一の径の半円筒形形状である。
【００７９】
図１６（ｂ）及び図１７（ｂ）に示すように、第三規制部５１０は、第一本体５０１の一部であり、第一規制部１１０と一体に形成されている。第三規制部５１０と第一規制部１１０とは、第一差込部１５０を基準として、第一本体５０１の一方と他方に形成されている。第四規制部５１０’は、第三規制部５１０とほぼ同様に構成されているため説明を省略する。
【００８０】
第三規制部５１０と第四規制部５１０’とは、対向状態にされると、図１７（ｂ）に示すように、円筒形形状になる。図１５に示すように、第三規制部５１０と第四規制部５１０’とからなる円筒形形状は、第一規制部１１０と第二規制部１１０’とからなる円筒形形状と径が同一である。また、これらの円筒形形状は、その中心が同一軸線上に位置する。第三規制部５１０と第四規制部５１０’とからなる円筒形形状は、その内径寸法Ｘ９が口金２の外径寸法Ｘ７と略同一である。また、内径寸法Ｘ９は、カバー４の外径寸法Ｘ８と略同一である。
【００８１】
図１８（ａ）及び（ｂ）に示すように、留め具５００は、留め具１００と同様に可動ソケットＳ１に取り付けることができる。留め具５００を可動ソケットＳ１に取り付けると、第一規制部１１０と第二規制部１１０’が口金受け部２０を覆い、第三規制部５１０と第四規制部５１０’が口金２とカバー４を覆う。ＬＥＤランプ１が、可動ソケットＳ１と固定ソケットＳ２の間で支持されると、第四軸線Ｌ４と第五軸線Ｌ５とは、同一軸線上に位置する。
【００８２】
図１５に示すように、留め具５００は、第三規制部５１０と第四規制部５１０’とが、口金２の外周面とカバー４の外周面を覆うように配置される。このため、ＬＥＤランプ１は、第三規制部５１０と第四規制部５１０’とからなる円筒形形状の外部に移動することができない。第三規制部５１０及び／又は第四規制部５１０’は、ＬＥＤランプ１の外部への移動を規制する。可動ソケットＳ１と固定ソケットＳ２に支持されたＬＥＤランプ１は、留め具５００が取り付けられていることで、ＬＥＤランプ１の長手方向に交わる方向への移動が規制される。
【００８３】
つまり、図１８（ｂ）に示すように、留め具５００が可動ソケットＳ１に取り付けられると、第五軸線Ｌ５から第四軸線Ｌ４をずらすようにＬＥＤランプ１を動かすことができなくなる。留め具５００が、ＬＥＤランプ１を外部に移動させることを規制しているため、照明器具ＬからＬＥＤランプ１を容易に取り外せない。なお、本例においては、第三規制部５１０と第四規制部５１０’は、口金２とカバー４を覆っているが、口金２だけを覆うような寸法に形成しても良い。
【００８４】
以上、本発明の実施の形態について説明を行ったが、本発明はこの実施の形態に限定されることはなく、本発明の目的、趣旨を変更しない範囲内で変更できる。本発明の実施の形態では、留め具は、ソケットの開口を塞ぎ、口金受け部や口金を覆うために、対向状態のとき円筒形形状になり、その一方の開口の一部が塞がれるように形成されている。しかし、開口を塞ぎ、口金受け部や口金を覆えるのであれば他の形状であっても良いことはいうまでもない。
【００８５】
固定手段がネジ止めでなくても良いこともいうまでもない。さらに、本発明の実施の形態では、第一被覆部１６０と第二被覆部１６０’とは、Ｒ１７ｄ口金にあわせて形成したものを用いて説明を行ったが、ＲＸ１７ｄや他の規格にあわせて形成されていても良いことはいうまでもない。本発明の実施の形態では、第二留め具２００は、貫通孔２０１を２つ形成したものを用いて説明を行った。しかし、第二留め具２００が、口金ピン３０３が差し込めるのであれば、どのような形状に貫通した孔であっても良く、１つの長円形や楕円形等でも良いことはいうまでもない。
【００８６】
また、本発明の実施の形態では、照明器具は、既設の蛍光ランプ等を使用していた既設の照明器具から安定器を外して、ソケットに直接電流を流せる工事を行った照明器具で説明をした。しかし、このような工事を行ったものではなく、他の工事を行ったものでも良いことはいうまでもない。同様に、本発明の実施の形態では、ＬＥＤランプは、交流電流を直流電流に変換して、電圧、電流をＬＥＤの仕様に合わせる回路を内蔵しているランプである。しかし、行った工事にあわせたランプであれば良いことはいうまでもない。
【符号の説明】
【００８７】
Ｌ        ：照明器具
Ｓ１      ：可動ソケット
Ｓ２      ：固定ソケット
Ｓ３      ：可動ソケット
Ｓ４      ：可動ソケット
１        ：ＬＥＤランプ
２        ：口金
１０      ：ソケット本体
１１      ：開口
２０      ：口金受け部
２０ｒ    ：外周面
５０      ：ばね
１００    ：留め具
１１０    ：第一規制部
１１０’  ：第二規制部
１２０    ：連結部
１２１    ：第一折り曲げ溝
１２１’  ：第二折り曲げ溝
１３０    ：第一縁部
１３０’  ：第二縁部
１４１    ：雌ネジ部
１５０    ：第一差込部
１５０’  ：第二差込部
１７０    ：ネジ体
２００    ：第二留め具
２０１    ：貫通孔
３０１    ：ＬＥＤランプ
３０２    ：口金
３０２ｒ  ：外周面
３０３    ：口金ピン
３１０    ：ソケット本体
３１１    ：開口
３２０    ：口金受け部
Ｘ３      ：内径寸法
Ｘ４      ：外径寸法
【図１】
2014167904.tif 000003
【図２】
2014167904.tif 000004
【図３】
2014167904.tif 000005
【図４】
2014167904.tif 000006
【図５】
2014167904.tif 000007
【図６】
2014167904.tif 000008
【図７】
2014167904.tif 000009
【図８】
2014167904.tif 000010
【図９】
2014167904.tif 000011
【図１０】
2014167904.tif 000012
【図１１】
2014167904.tif 000013
【図１２】
2014167904.tif 000014
【図１３】
2014167904.tif 000015
【図１４】
2014167904.tif 000016
【図１５】
2014167904.tif 000017
【図１６】
2014167904.tif 000018
【図１７】
2014167904.tif 000019
【図１８】
2014167904.tif 000020